(57)【特許請求の範囲】
【請求項１】
中心軸に軸部材を有した円筒状の巻回胴部およびこの巻回胴部に径方向に突出し前記巻回胴部の外周面とにてコードを巻き取る巻回部を区画する対をなす鍔部を設けたドラム体と、
このドラム体の中心軸に対して略垂直に設けられ前記コードに電気的に接続される接点を有した取付台と、
前記接点に摺動自在に接触する接点を有し前記軸部材に嵌合される嵌合部が形成され前記取付台に略平行に対向する取付板を有した取付部と、
前記取付台および前記取付板の少なくともいずれか一方に他方に向けて突出し前記接点の接触部分を覆うものであり前記取付部の前記取付板と前記ドラム体の前記取付台とが傾いた状態では前記嵌合部を前記軸部材に嵌合させないフランジ部と
を具備したことを特徴とするコード巻取装置。
【発明の詳細な説明】
【０００１】
【発明の属する技術分野】
本発明は、一対の摺動接触する接点を有しコードを巻き取り収納するドラム体を備えたコード巻取装置に関する。
【０００２】
【従来の技術】
従来、この種のコード巻取装置としては、例えば特開平２−１７７９２３号公報に記載の構成が知られている。
【０００３】
この特開平２−１７７９２３号公報に記載のコード巻取装置は、略円筒状の巻回胴部の両端部に外周方向に巻回部を介して突出するフランジ部を設けたドラム体の巻回胴部の端部に、巻回するコードに電気的に接続され弾性を有する舌片状の接点を一対配設し巻回胴部の中心軸に位置してシャフトを取り付ける取付台を設けるとともに、接点に摺動自在に接続するリング接点を一対配設した板状の取付部をシャフトに回転自在に取付台に対向させて取り付け、この取付部を例えば電気掃除機本体のケース内に取り付けてドラム体を回転自在に配設している（例えば、特許文献１参照。）。
【０００４】
【特許文献１】
特開平２−１７７９２３号公報
【０００５】
【発明が解決しようとする課題】
しかしながら、上記特開平２−１７７９２３号公報に記載の従来のコード巻取装置において、ドラム体に取付部を取り付ける際、取付台と取付部とが対向せずに傾いた状態で取り付けられる場合に接点に応力が掛かって接点を損傷したり、接触不良を起こしたりするおそれがある。
【０００６】
本発明は、上記問題点に鑑みなされたもので、接点が損傷することなく確実な電気接触が得られ容易にドラム体に取付部が取り付けられるコード巻取装置を提供することを目的とする。
【０００７】
【課題を解決するための手段】
請求項１記載のコード巻取装置は、中心軸に軸部材を有した円筒状の巻回胴部およびこの巻回胴部に径方向に突出し前記巻回胴部の外周面とにてコードを巻き取る巻回部を区画する対をなす鍔部を設けたドラム体と、このドラム体の中心軸に対して略垂直に設けられ前記コードに電気的に接続される接点を有した取付台と、前記接点に摺動自在に接触する接点を有し前記軸部材に嵌合される嵌合部が形成され前記取付台に略平行に対向する取付板を有した取付部と、前記取付台および前記取付板の少なくともいずれか一方に他方に向けて突出し前記接点の接触部分を覆うものであり前記取付部の前記取付板と前記ドラム体の前記取付台とが傾いた状態では前記嵌合部を前記軸部材に嵌合させないフランジ部とを具備したものである。
【０００８】
そして、塵埃などの侵入による接点の接触不良が防止されるとともに、取付部を軸部材に取り付ける際にドラム体に対して傾斜する場合にはフランジ部が他方に当接することにより、簡単な構成で容易に取付部の取付板とドラム体の取付台とが傾いた状態で取り付けられることが防止され、確実にドラム体に取付部が取り付けられるとともに、接点に応力が掛からず接点の損傷および接触不良が防止される。
【０００９】
【発明の実施の形態】
以下、本発明のコード巻取装置を電気掃除機に用いた実施の一形態を図面を参照して説明する。
【００１０】
図５において、１は電気掃除機本体で、この電気掃除機本体１は、上面を開口した下部ケース2a、および、この下部ケース2aの後部上面を閉塞する上部ケース2bとにて前側上面部を開口して構成されたケースである本体ケース２と、この本体ケース２の前側上面部の開口を開閉自在に閉塞する蓋体３とを備えている。また、本体ケース２は、前側下面に旋回自在の旋回輪４が取り付けられ、後側側面に従動後輪５が取り付けられている。さらに、本体ケース２の上部に上下方向に摺動可能にハンドル７が設けられ、このハンドル７の後方に、付属品８収納する付属品収納部９を設けている。
【００１１】
一方、電気掃除機本体１内には、格子状の連通口10を有する隔壁11により、上方が開放された集塵室12が、電気掃除機本体１の進行方向の前側に区画形成されているとともに、この集塵室12の後方に電動送風機室13が区画形成されている。そして、集塵室12内には、この集塵室12内に枢着されたホルダ15により集塵袋16が着脱自在に装着されている。
【００１２】
また、隔壁11の前面には、その連通口10を覆う補助集塵フィルタ18が着脱自在に装着されている。なお、これら集塵袋16および補助集塵フィルタ18は、集塵室12の上面開口を介して着脱される。
【００１３】
一方、電動送風機室13内には、電動送風機20が配設されている。この電動送風機20は、図示しない例えばファンを軸にて回転駆動する電動部21と、ファンを覆う吸気口22を開口するファンカバー23とにて構成されている。
【００１４】
なお、電動部21の後端面の略中央のモータヘッド25が、後方に円柱状に突出形成されている。また、電動送風機20の前端部には、前端の外周縁に環状のゴム製支持体24が嵌合され、電動部21の後端部のモータヘッド25には、ゴム製の緩衝体26がモータヘッド25を覆うように取り付けられている。
【００１５】
一方、上部ケース2bの下面には、下方に向け突出し下端部がファンカバー23の外周面に沿って凹弧状に形成された上リブ前部29、および、この上リブ前部29より後方に位置して略平行に下方に向け突出し下端部が電動部21のモータヘッド25の外周面に沿って凹弧状に形成された上リブ後部30をそれぞれ突出形成している。
【００１６】
さらに、下部ケース2aの上面には、上リブ前部29および上リブ後部30に向けてそれぞれ対向して上方に突出し、上端部がファンカバー23の外周面に沿って凹弧状に形成された下リブ前部31、および、上端部が電動部21のモータヘッド25の外周面に沿って凹弧状に形成された下リブ後部32をそれぞれ突出形成している。
【００１７】
そして、電動送風機20のモータヘッド25を覆うように取り付けられた緩衝体26が上リブ後部30および下リブ後部32の先端にて挟持されて、電動送風機20の後端部が緩衝体27を介して上リブ後部30および下リブ後部32にて挟持固定されている。さらに、上リブ前部29および下リブ前部31にて電動送風機20の前端部に嵌合する環状のゴム製支持体24の外周面が挟持されて、電動送風機20の前端部がゴム製支持体24を介して上リブ前部29および下リブ前部31にて挟持固定されている。
【００１８】
なお、電動送風機20の前端側はゴム製支持体24により、電動送風機20の吸気口22が空気とともに吸引した塵埃を集塵する集塵袋16を設けた集塵室12に連通口10を介して気密に連通している。
【００１９】
また、電気掃除機本体１内には、電動送風機室13の後方に位置して、排気室34が区画形成され、電気掃除機本体１の上部ケース2bの外側後上面部には、排気室34を介して電動送風機20の排気口に連通する排気口35が開口形成されている。
【００２０】
さらに、電気掃除機本体１内には、図１に示すように、電動送風機室13の進行方向の左側に位置して、下部ケース2aおよび上部ケース2bより相対して突出する図示しないリブによりドラム室が区画形成されている。そして、このドラム室内には、電動送風機20に電力を供給するコードである図示しない電源コードが巻回されるドラム体40が設けられている。
【００２１】
そして、このドラム体40は、図１および図２に示すように、略円筒状の軸支部41が設けられ、この軸支部41の外周面の中間部に軸方向に直交して鍔状に突出する略円板状のホイール部42が形成されている。さらに、このホイール部42の外周縁には、軸支部41と略同軸に略円筒状の巻回胴部43が設けられ、この巻回胴部43の軸方向の両端に軸方向に直交して鍔状に突出する略円板状の鍔部44a ，44b が形成されている。そして、これら巻回胴部43および鍔部44a ，44b にて、電源コードが巻装される環状で外方に向けて開口する断面凹状の巻回部45が一体的に区画形成されて、ドラム体40が略ボビン状に形成されている。
【００２２】
さらに、ホイール部42に軸支部41と同方向に略円筒状に突出するボス47が径方向に位置して一対設けられている。そして、これらボス47，47には、難燃部材にて形成された略円板環状の取付台48がねじ49にて取り付けられている。この取付台48は、一面側にボス47，47の先端部を嵌挿する略円筒状の位置決め部50，50が設けられているとともに、他面側に弾性を有する舌片状の摺動接点を構成する接点としての接点金具51を取り付ける端子台部52，52が設けられている。さらに、取付台48には、ボス47，47の内側に対応するとともに端子台部52，52に対応しねじ49，49が挿通される通孔53，53を有している。なお、接点金具51には、巻回部45に巻回される電源コードが接続され端子台部52にねじ49にて固定される台座部55とこの台座部55から略Ｖ字状に突出する弾性を有した一対の舌片部56，56とが設けられている。そして、ねじ49，49にて取付台48がホイール部42に取り付けられるとともに、端子台部52，52に接点金具51，51が固定される。
【００２３】
また、ドラム体40には、一端面側の鍔部44b の側面に中心軸が軸支部41の中心軸と同軸となる略円筒状に突出する第１の壁体58が形成されている。そして、この第１の壁体58内には、略同軸上に第２の壁体59を有した略有底円筒状の押え板60が取り付けられている。この押え板60の取り付けにより、内部に巻回部45から引き出された電源コードを巻き取るコイル状の図示しないぜんまいを配設する動作室61が区画形成され、第１の壁体58および第２の壁体59との間にドラム体40の回転を停止させる図示しないブレーキ手段が配設されるブレーキ室62が区画形成されている。
【００２４】
そして、軸支部41には、軸部材としてのシャフト65が嵌合固定されている。このシャフト65は、一端側が軸支部41の端部から突出し、他端側が押え板60を貫通して突出して嵌合固定されている。そして、シャフト65の一端には、切り込み66が形成されて弾性可能な一対の係合片部67，67が設けられ、これら係合片部67，67の先端部には係合爪部68，68がそれぞれ設けられ、係合片部67，67の基端部側が径小となる周方向に沿って溝状の係合溝部69が形成されている。さらに、シャフト65の軸支部41から突出する部分は、軸支部41の内径より径小に形成されて段部71が形成されている。また、シャフト65の他端の周面には、周方向に沿って溝状で下部ケース2aおよび上部ケース2bに設けられたドラム室を区画するリブが係合して挟持される取付溝部72が設けられている。
【００２５】
さらに、シャフト65には、難燃部材製の取付部74が取り付けられている。そして、この取付部74は、下部ケース2aおよび上部ケース2bに設けられたドラム室を区画するリブにて挟持される板状の固定板部75を有している。また、この固定板部75の中央から偏位した位置には、ドラム体40の巻回胴部43の内径より外径が若干径小で巻回胴部43の内側に嵌挿する略円筒状の嵌挿部76が形成されている。さらに、この嵌挿部76の中間内部には、略円板状の取付板77が形成されている。また、この取付板77の略中央部には、シャフト65の係合片部67，67が設けられた側の軸支部41から突出する他の部分より径小の部分に嵌合される略円筒状に突出する嵌合部78が形成されている。そして、嵌挿部76の取付板77から嵌合部78の突出する側に略円筒状に突出する部分がフランジ部79となっている。
【００２６】
また、嵌合部78の取付板77側の端部内周縁には、内方に向けてリング状に突出しシャフト65の係合溝部69に着脱可能に係合する係合部80が形成されている。
【００２７】
さらに、取付板77の嵌合部78が突出する側の面には、摺動接点を構成する接点である径の異なる一対のリング状のリング接点82，82が同心上に埋設形成されている。なお、これらリング接点82，82は、電動送風機20の駆動状態などを制御する制御手段である図示しない回路基板に接続されている。
【００２８】
そして、取付部74の係合部80が係合溝部69に係合して嵌合部78がシャフト65へ嵌合した際に、嵌合部78の先端部がシャフト65の段部71に当接し、固定板部75がドラム体40の鍔部44a に接触せずに対向し、嵌挿部76がドラム体40の巻回胴部43に接触せずに対向し、フランジ部79の先端部は取付台48に若干の間隙を介して対向し、接点金具51，51の舌片部56，56が弾性に抗して変形して先端部がそれぞれリング接点82，82に摺動自在に接触し、コード巻取装置本体84が構成される。
【００２９】
このドラム体40に取り付けられた取付部74が下部ケース2aおよび上部ケース2bより相対して突出するリブにより挟持固定されるとともに、シャフト65の取付溝部にリブが係合してシャフト65が挟持固定され、ドラム体40がドラム室内に回転自在に軸支されている。
【００３０】
一方、蓋体３は、上部ケース2bに後端部が枢着されて、集塵室12を上方から開閉自在に覆っている。そして、この蓋体３の前側略中央には、吸込部90が設けられ、この吸込部90は内側開口91と外側開口92とが相対向させて形成されている。また、内側開口91および外側開口92に対向する中間には、円筒形状の吸込口93が形成されている。この吸込口93は、前部が電気掃除機本体１の前方へ開口しているとともに、後部が集塵室12へ開口している。
【００３１】
また、吸込部90には、集塵室12を電気掃除機本体１外に連通させる吸込口93を開閉自在に閉塞するシャッタ94が摺動自在に支持されている。
【００３２】
次に、上記実施の一形態のドラム体40に取付部74を取り付ける組み立て動作について説明する。
【００３３】
あらかじめ接点金具51，51を配設した取付台48を取り付けたドラム体40に、取付台48側に取付部74のリング接点82，82を取り付けた取付板77側を対向させつつ、取付部74の嵌合部78をドラム体40のシャフト65の係合片部67，67が設けられた側に嵌合させる。この嵌合の際、シャフト65の一対の係合片部67，67が互いに近付くように弾性変形し、嵌合部78の係合部80がシャフト65の係合溝部69に係合して係合片部67，67の係合爪部68，68が嵌合部78の端部縁である係合部80の縁に係合し、嵌合部78の端部がシャフト65の段部71に当接して、嵌合部78が係合爪部68，68および段部71間に挟持されるように回転自在に嵌合されて、取付部74とドラム体40とが互いに回転自在に組み立てられる。
【００３４】
この組み付けの際、ドラム体40の鍔部44a と取付部74の固定板部75とが略平行とならずに傾斜した状態で嵌合部78がシャフト65に嵌合される場合、図３および図４に示すように、取付部74のフランジ部79の先端部が取付台48に当接して、傾斜した状態では嵌合部78がシャフト65に嵌合できない。また、嵌合部78が管状であるため、傾斜した状態でもシャフト65の軸方向に沿って嵌合部78が位置するように案内されて略平行な状態となる。
【００３５】
このため、固定板部75が傾斜した状態でドラム体40に取り付けられることによる接点金具51，51の無理な変形が生じず、接点金具51，51の損傷が防止され、またリング接点82，82に適当な付勢力で接点金具51，51が接触しないことによる接触不良が防止される。
【００３６】
したがって、上記実施の形態によれば、ドラム体40のシャフト65に回転自在に取り付けられ本体ケース２のドラム室内に取り付けることによりドラム体40を回転自在に保持する取付部74の取付板77に、この取付板77に配設したリング接点82，82に摺動自在に接触する接点金具51，51を配設したドラム体40の取付台48に向けて接触部分を覆うようにフランジ部79を突設したため、塵埃などの侵入による摺動接点を構成する接点金具51，51とリング接点82，82との接触不良を防止できるとともに、取付部74をシャフト65に取り付ける際にフランジ部79がドラム体40の取付台48に当接するので、簡単な構成で容易に取付部74の取付板77とドラム体40の取付台48とが傾いた状態で取り付けられることがなく、確実にドラム体40に取付部74を取り付けでき、摺動接点に応力が掛からず摺動接点の損傷および接触不良を防止できる。
【００３７】
また、取付部74にドラム体40のシャフト65に回転自在に取り付ける略円筒状の嵌合部78を設けたため、取付部74の取付板77とドラム体40の鍔部44a とが傾斜した状態で嵌合しようとしても取付部74は略平行となるように案内されるので、フランジ部79による傾斜した状態での取り付け防止がさらに確実となる。
【００３８】
さらに、取付部74の取付板77は、商用交流電源が導通されるリング接点82，82を配設するために難燃部材で形成されるが、取付板77に一体のフランジ部79も難燃部材にて形成されるため、ドラム体40の接点金具51，51を取り付ける取付台48のみをドラム体40と別部材の難燃部材にて形成したことにより、摺動接点の接触部分は、難燃部材のフランジ部79にて囲まれてドラム体40は高価で重い難燃部材にて形成する必要がなく、軽量化およびコストの低減が図れる。
【００３９】
なお、上記実施の形態において、電気掃除機の電源コードを巻回するコード巻取装置本体84について説明したが、接点を有する他のいずれのコードを巻回するものでも同様の効果が得られる。
【００４０】
そして、取付部74として、取付板77、フランジ部79および嵌合部78を固定板部75の嵌挿部76に難燃部材にて一体に形成して説明したが、取付板77、フランジ部79および嵌合部78を一体に難燃部材にて形成し、固定板部75および嵌挿部76を安価な他の部材にて形成して、これらを接着剤にて接着するなど一体的に接続してもよい。この構成によれば、摺動接点に面する部分のみ高価で重い難燃部材製にて形成されるので、取付部74の軽量化およびコストの低減が図れる。
【００４１】
また、フランジ部79として取付板77の周縁から略円筒状に突出形成させて説明したが、ドラム体40の取付台48から取付部74の取付板77に向けて突出するように形成したり、それぞれから先端部を対向させて突出するなど、摺動接点を覆うように先端部を対向する他方に若干の間隙を介して対向させるいずれの形状でもできる。
【００４２】
次に、本発明のコード巻取装置の他の実施の形態を図６を参照して説明する。
【００４３】
図６に示す実施の形態は、図１ないし図５に示す実施の形態のドラム体40の取付台48に、取付部74の取付板77に向けてフランジ部79である大フランジ101 に略同軸状に二重管構造のように重なって略円筒状に突出する小フランジ102 を設けて二重管構造のフランジ部としたものである。
【００４４】
この図６に示す構成によれば、確実に塵埃の侵入が防止できるとともに大フランジ101 および小フランジ102 の少なくともいずれか一方が、取付台48および取付板77に当接して確実に取付部74の取付板77とドラム体40の取付台48とが傾いた状態で取り付けられることを防止できる。
【００４５】
さらに、大フランジ101 および小フランジ102 は、図１ないし図５に示す実施の形態と同様に、難燃部材製の取付板77および取付台48に一体に形成されていることにより、ドラム体40を高価で重い難燃部材にて形成する必要がなく、軽量化およびコストの低減が図れ、仮に摺動接点の放電にて発煙などしても、二重構造のフランジ部を構成する大フランジ101 および小フランジ102 にて他部分への延焼などの影響を防止できる。
【００４６】
なお、この図６に示す実施の形態において、取付板77に大フランジ101 を設け、取付台48に小フランジ102 を設けて説明したが、取付台48に大フランジ101 を設け取付板77に小フランジ102 を設けてもよい。
【００４７】
【発明の効果】
請求項１記載のコード巻取装置によれば、塵埃などの侵入による接点の接触不良を防止できるとともに、取付部を取り付ける際にドラム体に対して傾斜する場合にはフランジ部が他方に当接することにより、簡単な構成で容易に取付部の取付板とドラム体の取付台とが傾いた状態で取り付けられることを防止でき、確実にドラム体に取付部を取り付けでき、接点に応力が掛からず接点の損傷および接触不良を防止できる。
【図面の簡単な説明】
【図１】本発明のコード巻取装置を電気掃除機に用いた実施の一形態を示す断面図である。
【図２】同上平面図である。
【図３】同上取付部が傾斜した状態でドラム体に取り付ける状況を説明する説明図である。
【図４】同上フランジ部の近傍を示す拡大図である。
【図５】同上コード巻取装置本体を配設した電気掃除機本体を示す断面図である。
【図６】本発明のコード巻取装置の他の実施例を示す断面図である。
【符号の説明】
40    ドラム体
43    巻回胴部
44a ，44b     鍔部
45    巻回部
48    取付台
51    接点である接点金具
65    軸部材としてのシャフト
74    取付部
77    取付板
78    嵌合部
79    フランジ部
82    接点であるリング接点
84    コード巻取装置本体
101   大フランジ
102   小フランジ
【図１】
0003759491.tif 000002
【図２】
0003759491.tif 000003
【図３】
0003759491.tif 000004
【図４】
0003759491.tif 000005
【図５】
0003759491.tif 000006
【図６】
0003759491.tif 000007